(57)【要約】【課題】電源装置と光源装置の組み合わせに応じた設定変更や改造無しで好適な照明状態をもたらすことのできる電源装置、光源ユニット及び照明器具を提供する。【解決手段】光源装置２０の発光特性に関する特性情報を保持する特性情報保持部２２を光源装置２０に備え、特性情報保持部２２から特性情報を取得して調整方法を判定する判定部５と、判定部５の判定に基づいて電流及び電圧を制御する制御部２及び定電流制御部３とを電源装置１０に具備する。【選択図】図１
2014170662.tif 000002
【特許請求の範囲】
【請求項１】
光源装置が接続される接続端子と、
該接続端子を介して前記光源装置に直流電力を出力する電源部と、
該電源部から前記光源装置に対する出力を制御する制御部と、
前記光源装置に関する特性情報を前記光源装置に設けられた特性情報保持部から取得する照明特性取得部と、
を具備し、
前記制御部は、照明特性取得部が得た前記特性情報に基づいて前記光源装置に対する出力を制御することを特徴とする電源装置。
【請求項２】
前記特性情報保持部は、前記光源装置内に設けられた抵抗であることを特徴とする請求項１に記載の電源装置。
【請求項３】
前記特性情報保持部は、前記特性情報が記録された記憶装置であることを特徴とする請求項１に記載の電源装置。
【請求項４】
請求項１乃至請求項３のいずれか一つに記載の電源装置と、前記接続端子に接続される光源装置とを具備することを特徴とする照明器具。
【請求項５】
発光ダイオードを備える光源と、
対をなして設けられ前記光源に供給する電力を電源装置から受電可能な主端子と、
該主端子間に設けられた回路とは別個に設けられた抵抗と、
該抵抗に対し電力を入力するとともに該入力の結果として得られた情報を前記電源装置に出力するための副端子と
を具備することを特徴とする光源装置。
【請求項６】
発光ダイオードを備える光源と、
対をなして設けられ前記光源に供給する電力を電源装置から受電可能な主端子と、
前記電源装置の出力を制御するための特性情報が記録された記憶装置と、
前記電源装置に対して接続され、前記特性情報を前記記憶装置から読み出し可能とする副端子と
を具備し、
前記記憶装置から読み取られた前記特性情報に基づいて制御された直流電流を前記電源装置から受電することを特徴とする光源装置。
【請求項７】
発光ダイオードを備える光源、
対をなして設けられ、前記光源に供給する直流電流を受電可能な主端子、
該主端子間に設けられた回路とは別個に設けられた抵抗、
及び該抵抗に対し電力を入力するとともに該入力の結果として得られた情報を前記電源装置に出力するための副端子と
を備える光源装置と、
前記主端子を介して前記光源装置に直流電力を供給可能な電源部、
前記抵抗における電流に関する情報を前記光源装置から前記副端子を介して受信する照明特性検出部
及び該照明特性検出部の検出結果に基づいて前記光源装置に対する前記電源部の出力を制御する制御部
を備える電源装置と、
を具備することを特徴とする照明器具。
【発明の詳細な説明】
【技術分野】
【０００１】
本発明は、照明のための電源装置、光源装置および電源装置と光源ユニットとを備える照明器具に関する。
【背景技術】
【０００２】
従来、ＬＥＤを光源とするＬＥＤ照明器具が知られている（例えば、特許文献１を参照）。このようなＬＥＤ照明器具は、商用電源などの交流電源またはバッテリなどの直流電源から得た電力を、ＬＥＤ照明器具の電源基板において、適切な電流および電圧の直流電力に変換して供給し、光源のＬＥＤを点灯させる。
【０００３】
このようなＬＥＤ照明器具では、ＬＥＤが設けられている光源装置と、光源装置に対して電力を供給する電源装置とが別個に設計・製造されており、照明器具においてそれらが組み合わせて用いられる場合がある。光源装置の仕様は、例えば照度などの要求を満たすべく決められており、使用環境に応じて異なっており多様である。そして、電源装置の性能特性は一般に光源装置の仕様に適合するよう定められる。従って、照明のニーズに応じて様々な仕様に対応することが電源装置には求められている。
【先行技術文献】
【特許文献】
【０００４】
【特許文献１】特開２００６−１４７２５２号公報
【発明の概要】
【発明が解決しようとする課題】
【０００５】
しかし、光源装置の仕様に応じて電源装置の機種を多数用意すると、電源装置の設計や製造にかかるコストは、機種が増えるほどに大きくなるという問題があった。ボリューム装置を設けてＬＥＤ負荷に応じて調整するようにすることも可能だが、その場合は生産工程において個別の調整が必要となるため、生産性が低下する虞があった。
【０００６】
また、電源装置に複数通りの設定を内蔵させ、例えばディップスイッチによる切替式操作部を設けて複数通りの設定を切替可能とすることで電源装置の仕様を共通化することも可能であるが、構造の複雑化や必要な部品の増加によるコストアップが避けがたいうえに、ＬＥＤ負荷ごとの微妙な調整が困難となる虞があった。
【０００７】
上記の実情を鑑み、本発明は、改造や設定変更を行わずとも多種類のＬＥＤ負荷に対して適した電力を供給可能な電源装置、光源装置、及び電源装置と光源装置とを備える照明装置を提供することを目的とする。
【課題を解決するための手段】
【０００８】
本発明の電源装置は、「光源装置が接続される接続端子と、接続端子を介して光源装置に直流電力を出力する電源部と、電源部から光源装置に対する出力を制御する制御部と、光源装置に関する特性情報を光源装置に設けられた特性情報保持部から取得する照明特性取得部と、を具備し、制御部は、照明特性取得部が得た特性情報に基づいて光源装置に対する出力を制御する」ことを特徴とする。
【０００９】
本発明の電源装置によると、光源装置に特性情報保持部が設けられており、電源装置は、特性情報保持部から取得した光源装置の特性情報に基づいて光源装置に対する出力を制御する。光源装置の発光状態は、光源装置内に保持される特性情報に基づいて制御されるため、電源装置の設定変更や改造を行わずとも、電源装置に接続される光源装置ごとの特性情報によって定められた発光状態に制御することができる。
【００１０】
ここで、「特性情報」とは、光源装置の発光状態を制御するために用いられる情報であり、光源装置の仕様に基づく情報である。具体的な特性情報としては、光源装置を点灯させるために適した電流や電圧の値、ＬＥＤの順方向電圧、基準電圧、抵抗値等に関する情報を例示することができる。特性情報は、上記の例のようなパラメータを直接に指示する値であってもよいし、パラメータを算出するために用いられる情報や、そのような情報を構成する一部であってもよい。
【００１１】
「特性情報保持部」とは、上記の特性情報を制御部が取得可能なように保持しているものであればよく、特に具体的な構成を限定するものではない。例えば、ＲＯＭ、ＥＰＲＯＭ、ＥＥＰＲＯＭ等の不揮発性メモリや、入力に対して所定のフィードバックをもたらすアナログ回路等を挙げることができる。
【００１２】
「光源装置」は、着脱可能に構成されているものであってもよいし、着脱不能に固定されるものであってもよい。また、光源装置は、独立して構成されたユニット状のもののみに限定されるものではなく、照明器具に組み付けられているものであってもよいし、製造過程において電源装置と組み付けられるものであってもよい。
【００１３】
また、本発明の電源装置の特性情報保持部は、光源装置内に設けられた抵抗であってもよい。
【００１４】
本構成によると、光源装置内の所定部位の電流値や電圧を検出することで光源装置の特性情報に基づいた発光状態の制御を行うことができる。すなわち、光源装置内の所定部位に設けられた抵抗の抵抗値によって、その抵抗に流れる電流や電圧が決まる。その電流値や電圧を電源装置が検出し、その検出結果に基づいて制御部が光源装置に対する出力を制御することで、その光源装置に応じた発光状態に制御することができる。
【００１５】
さらに、本発明の電源装置の特性情報保持部は、前記特性情報が記録された記憶装置であってもよい。
【００１６】
本構成によると、光源装置に設けられた記憶装置に特性情報が記録されており、電源装置の制御部がその特性情報を取得して光源装置に対する出力を調整することができる。
【００１７】
本発明の照明器具は、請求項１乃至請求項３のいずれか一つに記載の電源装置と、前記接続端子に接続される光源装置とを具備する」ことを特徴とする。
【００１８】
本構成によると、電源装置と光源装置とが組み合わせられて構成される照明器具において、電源装置の制御部が特性情報を光源装置から取得して出力を調整することが可能となる。電源装置と光源装置とを接続すると、電源装置において電流や電圧の調整が行われるため、製造工程や設置工事において個別に設定変更や改造を行う必要がなく、照明器具の生産性を向上させることができる。
【００１９】
本発明の光源装置は、「発光ダイオードを備える光源と、対をなして設けられ光源に供給する電力を電源装置から受電可能な主端子と、該主端子間に設けられた回路とは別個に設けられた抵抗と、該抵抗に対し電力を入力するとともに該入力の結果として得られた情報を電源装置に出力するための副端子とを具備する」ことを特徴とする。
【００２０】
本構成によると、光源装置には抵抗と、その抵抗に対して電源装置から電流を流すための副端子が設けられている。その抵抗に対し流れる電流や、その抵抗に対して定電圧を加えることで発生する電圧によって、電源装置は光源装置に設けられた抵抗の抵抗値に応じたフィードバックを得ることができ、そのようなフィードバックに基づいて光源装置に対して出力を制御することができる。
【００２１】
また、本発明の光源装置は、「電源装置に対して着脱可能な光源装置であって、発光ダイオードを備える光源と、対をなして設けられ光源に供給する電力を電源装置から受電可能な主端子と、電源装置の出力を制御するための特性情報が記録された記憶装置と、電源装置に対して接続され、特性情報を記憶装置から読み出し可能とする副端子とを具備し、記憶装置から読み取られた特性情報に基づいて制御された直流電流を電源装置から受電する」ことを特徴とするものとしてもよい。
【００２２】
本構成によると、光源装置に設けられた記憶装置から特性情報を取得することで、電源装置の制御部は、光源装置に対する出力を特性情報に基づいて制御することができる。従って、光源装置に対する出力を制御するための特性情報を光源装置に保持させておけば、設定変更等を行うことなく電源装置に接続するだけで光源装置の照明状態を好適なものとすることができる。
【００２３】
また、本発明の照明器具は、「発光ダイオードを備える光源、対をなして設けられ光源に供給する直流電流を受電可能な主端子、該主端子間に設けられた回路とは別個に設けられた抵抗、及び該抵抗に対し電力を入力するとともに該入力の結果として得られた情報を電源装置に出力するための副端子とを備える光源装置と、主端子を介して前記光源装置に直流電力を供給可能な電源部、抵抗における電流に関する情報を光源装置から副端子を介して受信する照明特性検出部及び該照明特性検出部の検出結果に基づいて光源装置に対する電源部の出力を制御する制御部を備える電源装置と、を具備する」ものとしてもよい。
【００２４】
本構成によると、光源装置には抵抗と、その抵抗に対して電源装置から電流を流すための副端子が設けられている。その抵抗に対して流れる電流や、その抵抗に対して定電圧を加えることで発生する電圧によって、電源装置は光源ユニットに設けられた抵抗の抵抗値に応じたフィードバックを得ることができ、そのようなフィードバックに基づいて光源装置に対して出力を制御することができる。従って、光源装置に合せて電源装置の設定変更等を行う必要はなく、光源装置と電源装置とを接続するだけで照明器具の照明状態を好適なものとすることができる。
【発明の効果】
【００２５】
以上のように、本発明の電源装置によれば、光源装置の特性に合わせた電力を供給することができる。また、本発明の光源装置によれば、電源装置に対して光源装置の特性に関する情報を伝達し、電源装置の出力を光源装置に適したものに調整することができる。本発明の照明器具によれば、光源装置及び照明用電源装置の組み合わせに基づいて光源装置に供給される電力を調整することで、発光状態を適切に保つことができる。
【図面の簡単な説明】
【００２６】
【図１】本発明の一実施形態である照明器具の電気的構成を示すブロック図。
【図２】本発明の一実施形態である電源装置の回路図。
【図３】本発明の一実施形態である光源装置の説明図。
【図４】光源装置の別例の説明図。
【発明を実施するための形態】
【００２７】
以下、本発明の実施形態である電源装置、光源ユニット及び照明器具について、図１〜図３に基き説明する。図１は、電源装置１０と光源装置２０とを備えた照明器具３０の電気的構成の概要を示すブロック図である。図２は、電源装置１０の回路構成の概要を示す回路図であり、特に定電流制御部３の構成を詳細に示すものである。図３は、光源装置の電気的構成の概要を示す説明図である。なお、図１における接地線の図示は省略している。
【００２８】
図１に示すように、照明器具３０は、商用交流電源から給電した交流電流を直流電流に変換し、光源である複数のＬＥＤを点灯させる照明器具であり、例えば、鉄道車両の天井や、屋内の天井などに取り付けられるものである。照明器具３０は、電源装置１０と、光源装置２０とが電気的に接続されて構成されている。電源装置１０と光源装置２０とは、例えば電源装置１０に接続されたソケットと光源装置２０に設けられた口金とで接続される。
【００２９】
電源装置１０は、主に、電源部１、制御部２、定電流制御部３、定電圧制御部４および判定部５から構成されている。電源装置１０の入力側には、商用電源から交流電源電圧を受電して電源部１に送るための一対の受電側端子１６（接地側は図示を省略）が設けられている。電源装置１０の出力側には、接続された光源装置２０に電力を供給するための一対の出力端子１７と、光源装置２０から光源装置２０に関する特性情報を取得するための電源側コネクタ１８とが設けられている。
【００３０】
電源部１は、先述のように受電側端子１６を介して商用電源に接続されており、変圧器Ｔの一次側３１には、ヒューズ８と、フィルタ９と、整流器１１と、平滑回路１２とを備え、二次側３２には、整流用ダイオードＤ１と、平滑回路１３とを備えて構成されている。
【００３１】
電源部１は、商用電源から受電された交流電圧をフィルタ９でノイズ除去し、整流器１１で全波整流し、平滑回路１２で平滑化する。平滑回路１２はキャパシタからなり、その一端は変圧器の一次巻線Ｔ１の一端を介してＭＯＳ型電界効果トランジスタであるトランジスタＴｒ１のドレインに接続されており、他端はトランジスタＴｒ１のソースに接続されている。
【００３２】
図２に示すように、変圧器の二次巻線Ｔ２の一端は、ダイオードＤ１と平滑回路１３のキャパシタＣ１とを介して二次巻線Ｔ２の他端に接続されている。そして、キャパシタＣ１の一端は、一方の出力端子１７に接続され、キャパシタＣ１の他端は、抵抗Ｒ７を介して他方の出力端子１７に接続されている。
【００３３】
主制御部２は、平滑回路１２のキャパシタの他端側が給電用巻線Ｔ３の一端に接続されており、給電用巻線Ｔ３の他端は、出力制御部６に給電するための制御用電源回路７に接続されている。出力制御部６は、出力のための一端が先述のトランジスタＴｒ１のゲートに接続されている。詳細は省略するが、出力制御部６は定電流制御部３及び定電圧制御部４にも接続されており、電流・電圧の制御において、定電流制御部３及び定電圧制御部４の出力信号に応じてトランジスタＴｒ１のオン・オフ切換を行ってオンデューティ比を設定し出力を制御する。
【００３４】
定電流制御部３は、電源部１に直列に接続されており、定電流制御部３の出力側に接続された一対の出力端子１７から、判定部５からの判定結果の入力に応じて光源装置２０への出力を定電流制御する。
【００３５】
図２に示すように、定電流制御部３は、変圧器Ｔの二次巻線Ｔ２と出力端子１７との間に設けられており、抵抗Ｒ１、比較器１９、抵抗Ｒ７及び抵抗Ｒ８、フォトカプラＰＣ１によって構成されている。比較器１９は、オペアンプ１５、抵抗Ｒ２及びキャパシタＣ２から構成されており、フォトカプラＰＣ１は、抵抗Ｒ１と比較器１９の出力側との間に接続されている。オペアンプ１５の反転入力端子に抵抗Ｒ８が接続されており、オペアンプ１５の非反転入力端子は、抵抗Ｒ４，Ｒ５の間に接続されている。
【００３６】
定電流制御部３と出力制御部６との間は、フォトカプラＰＣ１による信号伝達回路で接続されている。図示は省略するが、定電圧制御部４と出力制御部６との間も同様であり、変圧器Ｔの一次側３１と二次側３２とは電気的に絶縁されている。
【００３７】
定電圧制御部４は、光源ユニット２０に並列に接続されており、電源部１の出力電圧の検出結果と、判定部５の判定結果とに基づいて出力制御部６に制御信号をフィードバックする。
【００３８】
以上のように電源装置１０の一次側回路３１と二次側回路３２とは、、電気的に絶縁されている。
【００３９】
電源側コネクタ１８は、電流アップ調整用の端子１８ａ、ＣＯＭ端子である端子１８ｂ、電流ダウン調整用の端子１８ｃの３個の端子の組を備えている。
【００４０】
判定部５は、参照電圧源Vrefに対して、４個の抵抗Ｒ３、Ｒ４、Ｒ５、Ｒ６が直列に接続されて構成されている。抵抗Ｒ３とＲ４の間に電源側コネクタ１８の端子１８ａが接続されており、、抵抗Ｒ４とＲ５の間に端子１８ｂが接続されており、抵抗Ｒ５とＲ６の間に端子１８ｃが接続されている。従って、端子１８ａと端子１８ｂの間に抵抗Ｒ４が並列に接続され、端子１８ｂと端子１８ｃの間に抵抗Ｒ５が並列に接続されている。
【００４１】
光源装置２０は、ＬＥＤ列２１（図３参照）と、特性情報保持部２２と、電源装置１０の一対の出力端子１７に接続される一対の入力端子２３と、電源側コネクタ１８に接続される光源側コネクタ２４とを備えており、入力端子２３と光源側コネクタ２４とによって電源装置１０に接続される。ＬＥＤ列２１は、本例では複数のＬＥＤが直列に接続されて構成されたＬＥＤ列である。入力端子２３は後述するように、電源装置１０から光源装置２０への給電に用いられる電極である。副端子２４は、本例では通信用のコネクタ（図示しない）であり、光源ユニット２０に設けられたコネクタ（図示しない）と接続され、電源装置１０の出力制御部２が、光源ユニット３０上の特性情報保持部２２から特性情報を取得可能とする。
【００４２】
図３に具体的に示すように、情報保持部２２は、一対の入力端子２３間に設けられたＬＥＤ列２１からなるＬＥＤ負荷回路とは別個に設けられた抵抗２２ａであり、抵抗２２ａの両端は光源側コネクタ２４の端子２４ａ及び２４ｂに接続されている。端子２４ａ及び２４ｂは電源側コネクタ１８の端子１８ａ及び１８ｂに接続されているので、抵抗２２ａは抵抗Ｒ４と並列に接続される。
【００４３】
以下、上記構成の照明器具３０の点灯時の動作について説明する。
交流電圧は、過電流保護のためのヒューズ８と、ノイズを除去するフィルタ９とを通過し、整流回路１１にて全波整流される。そして、整流された直流電圧は、平滑回路１２で平滑化され、変圧器Ｔの一次側巻線Ｔ１に至る。変圧器Ｔにおいて変圧された直流電圧が、二次側巻線Ｔ２から、直流電力の整流用のダイオードＤ１及び平滑化を行う平滑回路１３を経て定電流制御部３に供給される。
【００４４】
定電流制御部３は、電源部１から直流電力を受けて、出力端子１７から光源装置２０に定電流を供給する。接地線側では抵抗Ｒ７により電圧が生じ、Ｒ８を経てオペアンプ１５の反転入力端子に電圧が入力される。
【００４５】
抵抗２２ａは、抵抗Ｒ４に並列に接続されるため、抵抗Ｒ４の両端電圧は低下し、それに基づく比較器１９の出力に応じてフォトカプラＰＣ１は制御信号を発する。出力制御部６は、フォトカプラＰＣ１から受けた制御信号に基づいて、抵抗２２ａが接続されていない場合よりも出力の電流量をアップさせる。
【００４６】
抵抗Ｒ４と並列に接続される抵抗２２ａの抵抗値が大きいほど、端子１８ａ，１８ｂ間の電位差は大きくなり、出力制御部６からの出力は小さくなる。一方、抵抗２２ａの抵抗値が小さいほど、端子１８ａ，１８ｂ間の電位差は小さくなり、出力制御部６からの出力は大きくなる。
【００４７】
抵抗２２ａの抵抗値は、発光装置２０の仕様に応じて決定される。具体的には、電源装置１０から発光装置２０に対する出力の電流値の要求が標準の通りであれば、抵抗２２ａは設けられず、端子１８ａ，１８ｂの間は絶縁される。要求される電流値が標準より高い場合には抵抗２２ａが設けられるが、そのときの抵抗２２ａの抵抗値は、要求される出力に応じて設定される。出力の電流値の増加割合を大きくする場合は抵抗２２ａの抵抗値を小さくし、電流値の増加割合を小さくする場合には抵抗２２ａの抵抗値を大きくする。
【００４８】
次に、本発明に係る第二の実施形態について、図４に基づいて説明する。図４は、第二の実施形態の光源ユニットの説明図である。以下、第一の実施形態と共通する構成に関しては、同じ符号を付して説明する。
【００４９】
第一の実施形態とは異なり、特性情報保持部２２は、抵抗２２ｂの両端が光源側コネクタ２４の端子２４ｂ及び２４ｃに接続されて構成されている。本例では、端子２４ｂ及び２４ｃは電源側コネクタ１８の端子１８ｂ及び１８ｃに接続されているので、抵抗２２ｂは抵抗Ｒ５と並列に接続される。その他の点は、第一の実施形態と同様である。
【００５０】
抵抗２２ｂは、抵抗Ｒ５に並列に接続されるため、抵抗Ｒ５の両端電圧は低下し、それに基づく比較器１９の出力によりフォトカプラＰＣ１は制御信号を発する。出力制御部６は、フォトカプラＰＣ１から受けた制御信号に基づいて、抵抗２２ａが接続されていない場合よりも出力の電流量をダウンさせる。
【００５１】
抵抗Ｒ５と並列に接続される抵抗２２ｂの抵抗値が大きいほど、端子１８ｂ，１８ｃ間の電位差は大きくなり、出力制御部６からの出力は大きくなる。一方、抵抗２２ｂの抵抗値が小さいほど、端子１８ａ，１８ｂ間の電位差は小さくなり、出力制御部６からの出力は小さくなる。
【００５２】
以上のように、光源装置２０には、特性情報保持部２２として抵抗２２ａが設けられており、電源装置１０は、抵抗２２ａの抵抗値に基づいて決定される電流値を光源装置２０に供給するように出力を制御する。すなわち、電源装置１０は、特性情報保持部２２によって保持されている光源装置２０の特性情報に基づいて光源装置２０に対する出力を制御する。より具体的には、光源装置２０内の所定部位に設けられた抵抗２２ａの抵抗値によって、その抵抗２２ａ及び抵抗２２ａに並列に設けられた抵抗Ｒ４を含む判定部５の各部に流れる電流や電圧が決まる。その電流値や電圧に応じて電源装置１０の判定部５が定電流制御部３の動作を決定し、出力制御部６が光源装置２０に対する出力を制御することで、光源装置２０に適した発光状態に制御することができる。光源装置２０の発光状態は、光源装置２０内に保持される特性情報に基づいて制御されるため、電源装置１０に関して部品変更等の改造や製造工程でのボリューム設定を行わずとも、電源装置１０に接続される光源装置２０ごとの特性情報によって定められた発光状態に制御することができる。
【００５３】
さらに、照明器具３０によれば、光源装置２０には抵抗２２ａと、その抵抗２２ａに対して電源装置１０から電流を流すための光源側コネクタ２４とが設けられており、電源装置１０には、光源側コネクタ２４と接続され、抵抗２２ａの抵抗値に基づいて比較器１９に電圧を出力する判定部５が設けられている。抵抗２２ａにより発生する電圧や電流によって、電源装置１０は抵抗２２ａの抵抗値に応じたフィードバックを得ることができ、そのようなフィードバックに基づいて光源装置２０に対する出力を制御することができる。従って、光源装置２０に合せて電源装置１０の設定変更等を行う必要はなく、光源装置２０と電源装置１０とを接続するだけで照明器具３０の照明状態を好適なものとすることができる。ひいては、照明器具３０の生産性を向上させることができる。
【００５４】
なお、本発明の実施形態は上記の構成に限定されるものではなく、以下に示すように種々に変更することができる。
【００５５】
上記の実施形態では、電源装置１０と光源ユニット２０とはソケットと口金との組み合わせによって着脱式に構成されているものを例示したが、これに限定されるものではなく、電源装置１０及び光源ユニット２０はハーネスに接続されたコネクタを介して着脱式に構成されているものであってもよいし、電源装置１０と光源ユニット２０との間の電極や配線がはんだ付け等で固定的に接続されているものであってもよい。
【００５６】
また、上記の実施形態では出力端子１７の極性に合わせて光源装置２０の接続向きが決められるものを示しているが、これに限定されるものではなく、極性を問わず装着可能となっている光源装置２０を用いてもよいし、電源装置１０に光源装置２０の極性を判定して出力を制御する回路を備えるようにしてもよい。
【００５７】
また、上記の実施形態では発光部２１として複数のLEDが一列で直列に接続されて構成されたものを示したが、LEDは一つであってもよいし、複数であってもよい。また、複数のLEDを備える場合には、直列接続に限定されず、並列に接続されていてもよい。また、発光部２１は、LEDのみでなく、抵抗、トランジスタ、ツェナ・ダイオード等を用いた各種の制御回路や保護回路等を有していてもよい。
【００５８】
さらに、上記の実施形態では、特性情報保持部２２としていずれも光源のＬＥＤ負荷とは別個に設けられた抵抗を備えたものを示したが、これに限定されるものではなく、さらに異なる構成を採ることもできる。詳細な図示は省略するが、図１を用いて説明すると、例えば、特性情報保持部２２として記憶装置を備えており、判定部５として当該記憶装置に記録された特性情報を読み取って定電流制御部３及び定電圧制御部４に制御信号を発信するための集積回路等と、特性情報保持部２２と判定５とを接続する通信線のコネクタ１８及び２４を備えるようにしてもよい。また、定電流制御部３、定電圧制御部４及び判定部５の機能を兼ね備えた集積回路等を用いるようにしてもよい。上記の構成によると、光源装置に設けられた記憶装置に特性情報が記録されており、電源装置の制御部がその特性情報を取得して光源装置２０に対する出力を調整することができる。
【００５９】
この場合、特性情報としては、光源装置２０に対する出力の電流値、電圧、ＬＥＤ列の順方向電圧降下Ｖｆなどの情報を挙げることができる。あるいはそれらの値を実現するために電源装置１０の各部を制御するための情報としてもよい。例えば、出力制御部６によるトランジスタ制御のために出力するパルスに関する情報であってもよい。
【００６０】
本構成によると、光源装置に設けられた記憶装置から特性情報を取得することで、電源装置の制御部は、光源装置に対する出力を特性情報に基づいて制御することができる。従って、光源装置に対する出力を制御するための特性情報を光源装置に保持させておけば、設定変更等を行うことなく電源装置に接続するだけで光源装置の照明状態を好適なものとすることができる。
【００６１】
特性情報保持部として記憶装置を用いる構成から把握できる技術的思想について、それらの効果とともに以下に追記する。
【００６２】
（１）本発明の電源装置は、「特性情報保持部は、照明器具の型式情報を記憶した記憶装置であり、制御部は、形式情報と出力の値とを関連づけるテーブルを記憶した設定保持部を備え、制御部は、テーブルを参照して光源装置に対する出力を制御することを特徴とする電源装置」とすることもできる。
【００６３】
この場合、テーブルには型番等の型式情報に基づいて制御部が電圧や電流値等を決めるための関連づけがなされた情報のセットが格納されている。このような構成とすると、照明器具の形式情報に応じて電源装置が光源装置の発光状態を制御するため、特性情報保持部に保持させる情報を、取り扱う人にとってよりわかりやすいものとすることができる。例えば、設定用のコンピュータにて型番等を特性情報保持部に記録するよう操作を行うようにすると、担当者が技術的事項に詳しくなくとも確実に特性情報を決めることができる。
【符号の説明】
【００６４】
１…電源部、２…主制御部（制御部）、３…定電流制御部（制御部）、５…判定部（照明特性取得部）、１７…出力端子（接続端子）、２０…光源装置、２１…ＬＥＤ列（光源）、２２…特性情報保持部（記憶装置）、２２ａ，２２ｂ…抵抗（特性情報保持部）、２３…受電用端子（主端子）、２４…光源側コネクタ（副端子）、
【図１】
2014170662.tif 000003
【図２】
2014170662.tif 000004
【図３】
2014170662.tif 000005
【図４】
2014170662.tif 000006